(57)【要約】【課題】水中における防水性を確実に保持しつつ水中における電子機器の操作部材の回転操作を簡単に行う上で有利な電子機器用ソフトケースを提供する。【解決手段】軸部８６は、軸受孔８２を形成する膨出壁８０の部分を軸方向に圧縮し軸受孔８２の内周面を軸部８６の外周面に弾接させた状態で軸受孔８２に回転可能に取り付けられている。ケース本体側操作部材７８のスカート部８８を回転操作すると、回転用部材９０を介してモードダイヤル１６Ｆが回転操作される。その際に、軸部８６と軸受孔８２との間隙からのソフトケース２０内部への水の浸入が阻止される。また、外力によりケース本体側操作部材７８が倒されても、軸受孔８２を形成する膨出壁８０の部分を軸方向に圧縮されていることから、軸受孔８２と軸部８６との間に間隙が形成されることが防止され、ソフトケース２０内部への水の浸入が阻止される。【選択図】図２４
2010191007.tif 000002
【特許請求の範囲】
【請求項１】
回転操作される筐体側操作部材が設けられた電子機器の筐体に装着される柔軟性、弾性、防水性を有する材料で形成されたケース本体と、
前記ケース本体に設けられ、前記ケース本体が前記筐体に装着された状態で前記筐体側操作部材を回転操作する操作部とを備え、
前記操作部は、前記ケース本体に設けられた操作部用壁部と、前記操作部用壁部に取り付けられるケース本体側操作部材とを含んで構成され、
前記操作部用壁部は、前記筐体側操作部材に対向する前記ケース本体の箇所に前記筐体側操作部材から離れる方向に筒状に膨出形成された膨出壁と、前記膨出壁の中心で前記筐体側操作部材に離間接近する方向に貫通する軸受孔とを含み、
前記ケース本体側操作部材は、前記軸受孔に挿通される軸部と、前記軸受孔の上方に突出する前記軸部の上端に前記軸部と一体に回転するように設けられ前記膨出壁の周囲を囲み回転操作されるスカート部と、前記軸受孔の下方に突出する前記軸部の下端に前記軸部と一体に回転するように取着され前記筐体側操作部材に係合して該筐体側操作部材を回転させる回転用部材とを備え、
前記ケース本体側操作部材は、前記軸受孔を形成する前記膨出壁の部分を軸方向に圧縮し前記軸受孔の内周面を前記軸部の外周面に弾接させた状態でかつ前記軸部が前記軸受孔に回転可能に挿通された状態で前記操作部用壁部に取り付けられている、
電子機器用ソフトケース。
【請求項２】
前記スカート部の下方に位置する前記軸部の上端に、前記膨出壁を構成する材料よりも硬い材料からなり前記スカート部および前記軸部の上端の周囲に位置する前記膨出壁の上端に弾接するシール部材が前記軸部に対して水密に装着され、
前記シール部材は、前記軸受孔を形成する前記膨出壁の部分を軸方向に圧縮する部材として機能している、
請求項１記載の電子機器用ソフトケース。
【請求項３】
前記回転用部材の上位に位置する前記軸部の箇所に、該軸部の箇所の周囲に位置する前記膨出壁の下端に係止し前記軸部の前記軸受孔からの抜けを阻止する係止部材が装着され、
前記係止部材は、前記軸受孔を形成する前記膨出壁の部分を軸方向に圧縮する部材として機能している、
請求項１記載の電子機器用ソフトケース。
【請求項４】
前記回転用部材の上位に位置する前記軸部の箇所に、該軸部の箇所の周囲に位置する前記膨出壁の下端に係止し前記軸部の前記軸受孔からの抜けを阻止する係止部材が装着され、
前記スカート部の下方に位置する前記軸部の上端に、前記膨出壁を構成する材料よりも硬い材料からなり前記軸部の上端の周囲に位置する前記膨出壁の上端に弾接し前記係止部材と協働し前記軸受孔を形成する前記膨出壁の部分を軸方向に圧縮するシール部材が前記軸部に対して水密に装着されている、
請求項１記載の電子機器用ソフトケース。
【請求項５】
前記回転用操作部材と反対側の前記係止部材の上面に、剛性を有する材料からなり前記軸部の外径よりも大きい内径の環板状の第１ワッシャが設けられ、
前記係止部材と反対側の前記第１ワッシャの上面に、摩擦係数の小さい材料からなり前記軸部の外径よりも大きい内径の環板状の第２ワッシャが設けられ、
前記係止部材の前記膨出壁の下端への係止は、前記第１、第２ワッシャを介して行われる、
請求項４記載の電子機器用ソフトケース。
【請求項６】
前記スカート部は、前記軸部の半径方向外側に拡がる環板部と、前記環板部の外周に接続され前記膨出壁の周囲を囲み外周面に凹凸形状が形成された筒部とを有し、
前記シール部材の上方に位置する軸部の上端に摩擦係数の小さい材料からなる環板状の第３ワッシャが装着され、
前記第３ワッシャの一方の面は前記環板部に当て付けられ、前記第３ワッシャの他方の面は前記シール部材に弾接されている、
請求項４記載の電子機器用ソフトケース。
【請求項７】
前記筒部の内周面と前記膨出壁の外周面との間にそれらの全周にわたり隙間が形成され、
前記隙間は、前記筐体側操作部材が倒された際に前記スカート部が前記膨出壁に弾接する寸法で形成されている、
請求項６記載の電子機器用ソフトケース。
【請求項８】
前記膨出壁が前記筐体側操作部材に対向する箇所に、前記軸受孔に連通し前記膨出壁と前記筐体側操作部材との間に空間を形成する凹部が設けられ、
前記回転用操作部材は前記空間に配置されている、
請求項１記載の電子機器用ソフトケース。
【発明の詳細な説明】
【技術分野】
【０００１】
本発明は電子機器用ソフトケースに関する。
【背景技術】
【０００２】
デジタルスチルカメラなどの電子機器を汚れや衝撃、あるいは傷つきから保護するために、電子機器を収納する保護用のソフトケースが提供されている（特許文献１参照）。
また、ＰＣ（ポリカーボーネート）などの硬質の合成樹脂材料で形成され、電子機器を防水状態で収納する防水ケースが提供されている（特許文献２参照）。
上述のソフトケースは、シリコンやエラストマーなどの材料で形成され、軽量化、薄型化が図られ、耐衝撃性に優れている。
ソフトケースは、電子機器を挿脱するための開口部が形成されていることから、材料自体が防水性を有していても、電子機器を水中や水辺などの常時水に接する環境で使用する際には不適である。
このようなソフトケースとして、電子機器を挿脱するための開口部を、電子機器の表示面に合わせ、ソフトケースが電子機器に装着された状態で、開口部から表示面をソフトケースの外部に露出させるようにしたものが提供されている。
上述の防水ケースは、２つ分割体からなり、それら分割体が合わさることで内部に液密な空間が形成され、電子機器はこの液密な空間に収容されて水中などで使用されている。
したがって、従来の防水ケースは、電子機器より一回り大きい箱型の形状となっており、コンパクト化を図る上で不利がある。
【先行技術文献】
【特許文献】
【０００３】
【特許文献１】特開２００６−１９６７７６
【特許文献２】特開２００８−２８１７０４
【発明の概要】
【発明が解決しようとする課題】
【０００４】
ところで、上記ソフトケースが電子機器の筐体に装着され表示面が開口部から露出した状態では、開口部を除いたソフトケースの残りの部分が筐体を覆うことになる。
そこで、従来の防水ケースと同様の硬質材料で形成されたハードケースを用意し、このハードケースにより開口部の周囲のソフトケース部分を筐体に押し付けると共に、ハードケースにより開口部を覆う。するとソフトケースとハードケースとで防水ケースを構成することができる。
したがって、防水が必要ない環境下では電子機器にソフトケースのみを装着して使用しておき、防水が必要になったときだけ、ソフトケースの上からハードケースを装着すればよい。
このようにすれば、軽量でかつ薄型のソフトケースとコンパクトなハードケースを利用して防水を行うことができるため、利便性の向上を図る上で好ましい。
一方、電子機器の筐体に回転操作される操作部材が設けられている場合、該操作部材をソフトケースの外部から回転操作する操作部をソフトケースに設ければよい。
このような操作部として、ソフトケースに設けた軸受孔と、軸受孔に挿通した軸部と、軸部の一端に設けられソフトケースの内部で操作部材に係合する係合部と、軸部の他端に設けられソフトケースの外部で回転操作される摘み部とを備えるものが考えられる。
しかしながら、このようなソフトケースとハードケースを装着した防水状態で電子機器を水中に浸漬させた場合、ソフトケースは柔軟性を有していることから摘み部に外力が作用して軸部が倒れると、軸受孔を構成するソフトケース部分が容易に変形する。
そのため、軸部と軸受孔との間に隙間が発生し、この隙間から水漏れが発生するおそれがある。
本発明はこのような事情に鑑みなされたものであり、その目的は、水中における防水性を確実に保持しつつ水中における電子機器の操作部材の回転操作を簡単に行う上で有利な電子機器用ソフトケースを提供することにある。
【課題を解決するための手段】
【０００５】
上述の目的を達成するため、本発明の電子機器用ソフトケースは、回転操作される筐体側操作部材が設けられた電子機器の筐体に装着される柔軟性、弾性、防水性を有する材料で形成されたケース本体と、前記ケース本体に設けられ、前記ケース本体が前記筐体に装着された状態で前記筐体側操作部材を回転操作する操作部とを備え、前記操作部は、前記ケース本体に設けられた操作部用壁部と、前記操作部用壁部に取り付けられるケース本体側操作部材とを含んで構成され、前記操作部用壁部は、前記筐体側操作部材に対向する前記ケース本体の箇所に前記筐体側操作部材から離れる方向に筒状に膨出形成された膨出壁と、前記膨出壁の中心で前記筐体側操作部材に離間接近する方向に貫通する軸受孔とを含み、前記ケース本体側操作部材は、前記軸受孔に挿通される軸部と、前記軸受孔の上方に突出する前記軸部の上端に前記軸部と一体に回転するように設けられ前記膨出壁の周囲を囲み回転操作されるスカート部と、前記軸受孔の下方に突出する前記軸部の下端に前記軸部と一体に回転するように取着され前記筐体側操作部材に係合して該筐体側操作部材を回転させる回転用部材とを備え、前記ケース本体側操作部材は、前記軸受孔を形成する前記膨出壁の部分を軸方向に圧縮し前記軸受孔の内周面を前記軸部の外周面に弾接させた状態でかつ前記軸部が前記軸受孔に回転可能に挿通された状態で前記操作部用壁部に取り付けられている。
【発明の効果】
【０００６】
本発明では、ソフトケースが装着された電子機器を水中に浸漬させると、水圧がソフトケースの操作部に作用する。
本発明では、軸部は、軸受孔を形成する膨出壁の部分を軸方向に圧縮し軸受孔の内周面を軸部の外周面に弾接させた状態で軸受孔に回転可能に取り付けられている。
したがって、ケース本体側操作部材のスカート部を回転操作すると、回転用部材を介して筐体側操作部材が回転操作されることになる。その際に、軸部と軸受孔との間隙からのソフトケース内部への水の浸入が阻止される。また、外力によりケース本体側操作部材が倒されても、軸受孔を形成する膨出壁の部分を軸方向に圧縮されていることから、軸受孔と軸部との間に間隙が形成されることが防止され、ソフトケース内部への水の浸入が阻止される。
【図面の簡単な説明】
【０００７】
【図１】本実施の形態の電子機器用ソフトケース２０および電子機器用ハードケース４０を装着する撮像装置１０を前方から見た斜視図である。
【図２】本実施の形態の電子機器用ソフトケース２０および電子機器用ハードケース４０を装着する撮像装置１０を後方から見た斜視図である。
【図３】本実施の形態の電子機器用ソフトケース２０を前方から見た斜視図である。
【図４】本実施の形態の電子機器用ソフトケース２０を後方から見た斜視図である。
【図５】電子機器用ソフトケース２０の後壁部２２Ｂを破断した斜視図である。
【図６】図５のＡＡ線断面図である。
【図７】撮像装置１０を表示面用の開口部２４を介してケース本体２２に挿入する状態を示す説明図である。
【図８】撮像装置１０に装着された電子機器用ソフトケース２０を前方から見た斜視図である。
【図９】撮像装置１０に装着された電子機器用ソフトケース２０を後方から見た斜視図である。
【図１０】電子機器用ハードケース４０を前方から見た斜視図である。
【図１１】電子機器用ハードケース４０を後方方から見た斜視図である。
【図１２】電子機器用ハードケース４０を開いた状態で見た斜視図である。
【図１３】撮像装置１０に装着された電子機器用ソフトケース２０に電子機器用ハードケース４０を取り付ける際の説明図である。
【図１４】撮像装置１０に装着された電子機器用ソフトケース２０に電子機器用ハードケース４０を取り付けた状態を前方から見た斜視図である。
【図１５】撮像装置１０に装着された電子機器用ソフトケース２０に電子機器用ハードケース４０を取り付けられた状態を後方から見た斜視図である。
【図１６】撮像装置１０に装着された電子機器用ソフトケース２０に電子機器用ハードケース４０を取り付ける過程を示す下面図である。
【図１７】撮像装置１０に装着された電子機器用ソフトケース２０に電子機器用ハードケース４０が取り付けられた状態を示す下面図である。
【図１８】図１６のＡ部分の拡大図である。
【図１９】図１６のＢ部分の拡大図である。
【図２０】図１６のＣ部分の拡大図である。
【図２１】図１６のＤ部分の拡大図である。
【図２２】電子機器用ソフトケース２０の変形例における後壁部２２Ｂを破断した斜視図である。
【図２３】図１５のＡ矢視図である。
【図２４】図２３の断面図である。
【図２５】ダイヤル用操作部７２の分解斜視図である。
【図２６】ダイヤル用操作部７２の分解斜視図である。
【発明を実施するための形態】
【０００８】
次に、本発明の実施の形態について図１乃至図２１を参照して説明する。
まず、本発明の電子機器用ソフトケースが装着される電子機器について説明する。
本実施の形態では、電子機器が撮像装置１０である場合について説明する。
図１、図２に示すように、撮像装置１０はデジタルスチルカメラであり、外装を構成する筐体１２を有している。
筐体１２は前後方向の厚さと、厚さよりも大きな寸法の高さと、高さよりも大きな寸法の幅とを有する扁平な矩形板状を呈している。
筐体１２は前面１２Ａ、後面１２Ｂ、上面１２Ｃ、下面１２Ｄ、左側面１２Ｅ、右側面１２Ｆを有している。
なお、本実施の形態では、被写体側を前方、その反対側を後方とし、前方から見た状態で左右をいうものとする。
【０００９】
前面１２Ａの右側部には、レンズ鏡筒１４が組み込まれている。
レンズ鏡筒１４は、被写体像を該レンズ鏡筒１４に組み込まれた不図示の撮像素子に導く撮影光学系１６を備えている。撮像素子は、撮影光学系１６によって結像された被写体像を撮像して撮像信号を生成するものであり、ＣＣＤやＣＭＯＳセンサなどで構成されている。
撮影光学系１６は複数のレンズを含んで構成され、最も被写体側に位置するレンズは対物レンズ１６Ａである。
レンズ鏡筒１４は、対物レンズ１６Ａが前面１２Ａから前方に突出した突出位置と、図１に示すように対物レンズ１６Ａが筐体１２の内部に没入した収容位置との間で移動するように構成されている。
図１、図１６に示すように、レンズ鏡筒１４の外側に位置する前面１２Ａの部分には、レンズ鏡筒１４を囲むように円環状の加飾部材１３が設けられている。
【００１０】
図１に示すように、筐体１２の前面１２Ａ上部には、撮影補助光を出射するフラッシュ１６Ａ、オートフォーカス用の補助光を発行する発光部１６Ｂなどが設けられている。
筐体１２の上面１２Ｃには、撮像を行うためのシャッタボタン１６Ｃ、電源ボタン１６Ｄなどが設けられている。
筐体１２の後面１２Ｂの左側部には、ズーム操作を行うズームレバー１６Ｅ、撮影モードを選択するモードダイヤル１６Ｆ、撮影機能を選択する機能選択スイッチ１６Ｇが設けられている。また、後面１２Ｂの左側部には、さらに、再生を行うための再生キー１６Ｈ、メニュー表示用のメニュースイッチ１６Ｉなどが設けられている。
筐体１２の後面１２Ｂのほぼ中央には、ディスプレイパネル１８が設けられている。
ディスプレイパネル１８の表示面１８Ａは矩形状を呈しており、表示面１８Ａには、撮影した静止画、動画、あるいはメニュー画面などが表示される。
ディスプレイパネル１８としては液晶表示パネル、あるいは、有機ＥＬ表示パネルなど従来公知の様々なディスプレイパネルが使用可能である。
【００１１】
図３乃至図６に示すように、電子機器用ソフトケース２０は、ケース本体２２と、表示面用の開口部２４と、鏡筒用の開口部２５と、第１リブ部２６と、第２リブ部２８と、第３リブ部３０と、凹部３２などを含んで構成されている。
【００１２】
図３、図４に示すように、ケース本体２２は、柔軟性、弾性、防水性を有する材料で形成されている。
ケース本体２２は、撮像装置１０の筐体１２に装着され表示面１８Ａを除いた筐体１２の残りの部分を覆うものである。本実施の形態では、ケース本体２２が筐体１２に装着された状態で、ケース本体２２は、表示面１８Ａと鏡筒１４とを除いた筐体１２の残りの部分を覆っている。
ケース本体２２を構成する柔軟性、弾性、防水性を有する材料としては、シリコン、エラストマーなど従来公知のさまざまな材料が使用可能である。
なお、本実施の形態では、ケース本体２２の材料として透明なシリコンに黒色と青色の染料あるいは顔料を混合した材料を用いている。
このような材料を用いることにより、ケース本体２２が撮像装置１０の筐体１２に装着された状態でケース本体２２の外側から筐体１２表面に印刷された操作用表示文字あるいは操作用表示記号を視認できるようにし、ソフトケース２０の実用性を高めている。
また、前記材料を用いることにより、単に透明なシリコンを用いた場合に比較して経時変化に伴うケース本体２２の黄変を防止し、外観性を高める上で有利となっている。
【００１３】
ケース本体２２は、筐体１２の前面１２Ａ、後面１２Ｂ、上面１２Ｃ、下面１２Ｄ、左側面１２Ｅ、右側面１２Ｆを覆う前壁部２２Ａ、後壁部２２Ｂ、上壁部２２Ｃ、下壁部２２Ｄ、左壁部２２Ｅ、右壁部２２Ｆを有している。
ケース本体２２は筐体１２に装着された状態で、筐体１２に接触する内面と、この内面の反対に位置する外面とを有している。
ケース本体２２の左壁部２２Ｅの外面の下部には、膨出部３３が膨出形成され、膨出部３３にストラップ挿通用孔３４が設けられ、膨出部３３とストラップ挿通用孔３４によりストラップ挿通部３５が形成されている。
【００１４】
図３、図４に示すように、表示面用の開口部２４は、後壁部２２Ｂに設けられ、ケース本体２２が筐体１２に装着された状態で、表示面１８Ａを該ケース本体２２の外部に露出させるものである。
図７に示すように、表示面用の開口部２４は、該開口部２４を介して筐体１２が装脱される箇所としても機能する。
表示面用の開口部２４は表示面１８Ａとほぼ同じ大きさの矩形を呈している。
【００１５】
図３、図４に示すように、鏡筒用の開口部２５は、前壁部２２Ａに設けられ、ケース本体２２が筐体１２に装着された状態で、鏡筒１４を該ケース本体２２の外部に露出させるものである。
鏡筒用の開口部２５は鏡筒１４の外径よりも大きな直径の円形を呈している。
したがって、ケース本体２２が筐体１２に装着された状態で、表示面１８Ａ用の開口部２４と鏡筒用の開口部２５を除いたケース本体２２の残りの部分は筐体１２を覆っている。
また、開口部２４、２５の周囲のソフトケース２０部分を電子機器用ハードケース４０により筐体１２に押し付け、開口部２４、２５部分を覆うことにより電子機器用ソフトケース２０と電子機器用ハードケース４０により防水ケースが構成される。
【００１６】
図４、図５、図６に示すように、第１リブ部２６は、後壁部２２Ｂの外面で表示面用の開口部２４の外側に沿って延在形成され開口部２４を囲むものである。
第１リブ部２６は、表示面用の開口部２４の矩形の四辺の外側を直線状に延在する四辺を有している。
【００１７】
第２リブ部２８は、後壁部２２Ｂの外面の第１リブ部２６の近傍箇所で第１リブ部２６よりも開口部２４から離れた箇所に第１リブ部２６の一部分に沿って延在している。
本実施の形態では、第１リブ部２６の一部分は、第１リブ部２６の四辺のうちの一辺であり、この一辺の全長にわたって延在している。
なお、第２リブ部２８が設けられる箇所は、ストラップ挿通用孔３４寄りの第１リブ部２６の部分である。
【００１８】
凹部３２は、後壁部２２Ｂの外面で第１リブ部２６と第２リブ部２８とによりそれらの間に沿って延在形成されている。
【００１９】
第３リブ部３０は、第１リブ部２６と第２リブ部２８とを連結するものである。
本実施の形態では、第３リブ部３０は２つ設けられ、第１リブ部２６の一部分の両端と第２リブ部２８の延在方向の両端とを連結し、それら第１リブ部２６と第２リブ部２８を補強し、それらリブ部２６、２８を倒れにくくしている。
【００２０】
また、第２リブ部２８が設けられた第１リブ部２６の部分に対向する第１リブ部２６の部分は、図１７、図１８に示すように、傾斜面３６が形成されている。
この傾斜面３６は、開口部２４を構成する矩形の一辺の全長にわたって設けられている。
図１８に示すように、第１リブ部２６は、開口部２４寄りに位置する内側面２６０２と、この内側面２６０２の反対に位置する外側面２６０４とを有しており、傾斜面３６は内側面２６０２の上半部に形成されている。
図１７、図１８に示すように、傾斜面３６はケース本体２２が筐体１２に装着された状態で、表示面１８Ａから離れるに従い次第に開口部２４を大きくする傾斜で形成されている。
【００２１】
図３に示すように、鏡筒用の開口部２５を囲むように、前壁部２２Ａの外面に鏡筒用リブ部３８が膨出形成されている。
鏡筒用リブ部３８の全周には、図１７、図２１、図２２に示すように、傾斜面３９が形成されている。
鏡筒用リブ部３８は、開口部２５寄りに位置する内側面３８０２と、この内側面３８０２の反対に位置する外側面３８０４とを有しており、傾斜面３８は内側面３８０２の上半部に形成されている。
傾斜面３９はケース本体２２が筐体１２に装着された状態で、表示面１８Ａから離れるに従い次第に開口部２５を大きくする傾斜で形成されている。
【００２２】
図４に示すように、後壁部２２Ｂの左側部には、ダイヤル用操作部７２と、機能選択スイッチ用操作部７４とが設けられている。
ダイヤル用操作部７２はモードダイヤル１６Ｆを操作するためのものであり、機能選択スイッチ用操作部７４は機能選択スイッチ１６Ｇを操作するためのものである。
【００２３】
次に電子機器用ハードケース４０について説明する。
電子機器用ハードケース４０は、筐体１２に装着された電子機器用ソフトケース２０の外側から取り付けられるものである。
そして、電子機器用ハードケース４０が電子機器用ソフトケース２０の外側から取り付けられることで、それら電子機器用ハードケース４０と電子機器用ソフトケース２０とが一体となって防水ケースとして機能する。
図１０乃至図１２に示すように、電子機器用ハードケース４０は、第１分割体４２と、第２分割体４４と、保持部４６と、第１凹部４８と、第２凹部５０と、凸部５２とを含んで構成されている。
第１分割体４２と第２分割体４４はヒンジ６２を介して揺動可能に結合されている。
第１分割体４２と第２分割体４４は共に硬質材料で形成されている。
このような硬質材料として、ＰＣ（ポリカーボーネート）などの従来公知の様々な材料が使用可能であり、本実施の形態では、透明な材料を用いている。
【００２４】
第１分割体４２は、電子機器用ソフトケース２０が筐体１２に装着された状態で電子機器用ソフトケース２０の開口部２４が設けられた後壁部２２Ｂ（第１の面）に配置される。
第１分割体４２は、筐体１２に装着された電子機器用ソフトケース２０の外側から取り付けられた状態で、表示面１８Ａおよび開口部２４を覆いかつダイヤル用操作部７２と機能選択スイッチ用操作部７４とを露出させる大きさの矩形で形成されている。
【００２５】
図１２に示すように、第１分割体４２に窓部５６と、第１当て付け部５８と、第１凹部４８と、第２凹部５０と、凸部５２と、第３凹部５４とが設けられている。
窓部５６は、開口部２４を覆うように設けられ開口部２４を介して表示面１８Ａを第１分割体４２の外部に視認させるものである。
第１当て付け部５８は、後壁部２２Ｂ（第１の面）の開口部２４の周囲の全周に沿って延在し開口部２４の周囲の全周に当て付けられる箇所である。
第１凹部４８は、第１当て付け部５８が開口部２４の周囲の後壁部２２Ｂに当て付けられる内面で第１当て付け部５８の延在方向の全長にわたって延在形成されている。
第２凹部５０は、第１当て付け部５８が開口部２４の周囲の後壁部２２Ｂに当て付けられる内面で第１凹部４８の近傍かつ第１凹部４８よりも開口部２４から離れた箇所に第１凹部４８の一部分に沿って延在している。
凸部５２は、第１当て付け部５８が開口部２４の周囲の後壁部２２Ｂに当て付けられる内面で第１凹部４８と第２凹部５０の間に形成されそれら第１凹部４８と第２凹部５０に沿って延在している。
第３凹部５４は、凸部５２に、第１凹部４８と第２凹部５０とを接続するように設けられている。
本実施の形態では、第３凹部５４は、第２凹部５０の延在方向の両端と第１凹部４８とを接続するように２つ設けられている。
【００２６】
実施の形態では、開口部２４は矩形であり、第１当て付け部５８は開口部２４の矩形の四辺の外側を直線状に延在する四辺を有している。
また、第１凹部４８は、第１当て付け部５８の四辺に沿った四辺を有している。
また、第２凹部５０と凸部５２は、第１凹部４８の四辺のうちヒンジ６２から離れた一辺の全長にわたって延在している。
第１凹部４８は、電子機器用ソフトケース２０の第１リブ部２６が弾接可能に装着できるように構成されている。
第２凹部５０は、電子機器用ソフトケース２０の第２リブ部２８が弾接可能に装着できるように構成されている。
凸部５２は、電子機器用ソフトケース２０の凹部３２に弾接可能に装着できるように構成されている。
第３凹部５４は、電子機器用ソフトケース２０の第３リブ部３０が弾接可能に装着できるように構成されている。
【００２７】
また、ヒンジ６２寄りの第１凹部４８の部分に、図１７、図１８に示すように、傾斜面６０が形成されている。
この傾斜面６０は、開口部２４を構成する矩形の一辺の全長にわたって設けられている。
図１８に示すように、第１凹部４８は、開口部２４寄りに位置する内側面２６０２と、この内側面４８０２に対向する外側面４８０４とを有しており、傾斜面６０は内側面４８０２の上半部に形成されている。
図１７、図１８に示すように、傾斜面６０は電子機器用ハードケース４０が、撮像装置１０に装着された電子機器用ソフトケース２０に取り付けられた状態で、表示面１８Ａから離れるに従い次第に開口部２４を大きくする傾斜で形成されている。
【００２８】
図１５乃至図１７に示すように、第２分割体４４は、後壁部２２Ｂ（第１の面）と反対に位置する電子機器用ソフトケース２０の前壁部２２Ａ（第２の面）に配置されるものである。
第２分割体４４は、鏡筒１４の周囲に配置される本体６４と、本体６４に設けられ突出位置に位置した鏡筒１４を収容可能な筒部６６とを有している。
筒部６６が前壁部２２Ａに当て付けられる内面で開口部２５の周囲の箇所に開口部２５の全周を囲む鏡筒用凹部６８が環状に形成されている。
凹部６８は、鏡筒用リブ部３８が弾接可能に装着されるように形成されている。
筒部６６の先端は、透明材料で形成された保護板６７で閉塞されている。
【００２９】
また、凹部６８は、開口部２５寄りに位置する内側面６８０２と、この内側面６８０２に対向する外側面６８０４とを有している。
図２０、図２１に示すように、内側面６８０２の上半部の全周に傾斜面７０が形成されている。
図１７、図２０、図２１に示すように、傾斜面７０は前記内面から離れるにつれて次第に外側面６８０４から離れる傾斜で形成されている。
【００３０】
図１２に示すように、保持部４６は、第１分割体４２の上下にそれぞれ揺動可能に設けられたバックル４６０２、４６０４と、第２分割体４４の本体６４の上下に設けられそれらバックルが係止される凸部４６１０、４６１２とで構成されている。
筐体１２に装着された電子機器用ソフトケース２０の後壁部２２Ｂに第１分割体４２を位置させると共に、前壁部２２Ａに第２分割体４４を位置させ、バックル４６０２、４６０４を凸部４６１０、４６１２に係止する。これにより第１、第２分割体４２、４４により筐体１２はソフトケース２０と共に挟持される。
このような保持部４６の構成として従来公知の様々な構成が使用可能である。
【００３１】
次に電子機器用ソフトケース２０と電子機器用ハードケース４０の使用方法について説明する。
図７に示すように、撮像装置１０の筐体１２を電子機器用ソフトケース２０の開口部２４から挿入し、筐体１２に電子機器用ソフトケース２０を装着する。
これにより、図８、図９に示すように、表示面１８Ａと鏡筒１４を除いた筐体１２部分が電子機器用ソフトケース２０により覆われる。
この状態で撮像装置１０を携帯することにより、撮像装置１０が汚れや衝撃、あるいは傷つきから保護される。
【００３２】
次に、電子機器用ハードケース４０を、筐体１２に装着された電子機器用ソフトケース２０の外側に取り付ける場合について説明する。
図１３に示すように、第１分割体４２と第２分割体４４とを開放した状態で、図１６に示すように、鏡筒１４を筒部６６に臨ませつつ、電子機器用ソフトケース２０の前壁部２２Ａを第２分割体４４の本体６４に当て付ける。
これにより、鏡筒用リブ部３８が凹部６８に弾接される。
この状態で、図１７に示すように、第１分割体４２を閉じ、保持部４６のバックル４６０２、４６０４を凸部４６１０、４６１２に係止させる。
これにより、図１８乃至図２１に示すように、第１リブ部２６、第２リブ部２８、第３リブ部３０、凹部３２のそれぞれが、第１凹部４８、第２凹部５０、第３凹部５４、凸部５２のそれぞれに弾接され、かつ、この弾接された状態が維持される。
また、鏡筒用リブ部３８が凹部６８に弾接された状態が維持される。
なお、図１８乃至図２１において破線で示す部分は、第１リブ部２６、第２リブ部２８、鏡筒用リブ部３８が第１凹部４８、第２凹部５０、凹部６８に弾接して変形する前の形状を示す。言い換えると、第１リブ部２６、第２リブ部２８、鏡筒用リブ部３８の先端は、第１凹部４８、第２凹部５０、凹部６８に弾接することで実線に示すように変形する。
【００３３】
これにより、電子機器用ソフトケース２０のうち表示面１８Ａの周囲の部分は、第１リブ部２６が第１凹部４８に弾接されて装着されることで電子機器用ハードケース４０と水密に結合する。
また、電子機器用ソフトケース２０のうち鏡筒１４の周囲の部分は、鏡筒用リブ部３８が凹部６８に弾接されて装着されることで電子機器用ハードケース４０と水密に結合する。
言い換えると、表示面１８の周囲の部分と鏡筒１４の周囲の部分において電子機器用ソフトケース２０と電子機器用ハードケース４０とが水密に結合し、電子機器用ソフトケース２０と電子機器用ハードケース４０とが防水ケースとして機能する。
【００３４】
次に、第１リブ部２６の傾斜面３６および第１凹部４８の傾斜面６０の作用と、鏡筒用リブ部３８の傾斜面３９および凹部６８の傾斜面７０の作用について説明する。
筐体１２に装着された電子機器用ソフトケース２０に電子機器用ハードケース４０を取り付ける際、第１リブ部２６と第１凹部４８との位置が合致せずに多少ずれたり、鏡筒用リブ部３８と凹部６８との位置が合致せずに多少ずれる場合がある。
このようにリブ部と凹部の位置がずれた状態で第１分割体４２と第２分割体４４を閉じてしまうと、第１分割体４２と第２分割体４４とを閉じる過程で、リブ部の一部が凹部からはみ出してしまい、リブ部と凹部との装着が不完全となり、水漏れが生じる懸念がある。
特に、ヒンジ６２に近い側に位置するリブ部と凹部では、ヒンジ６２を中心とした小さな値の半径で円運動し、リブ部と凹部とが傾斜した状態で接近する傾向が顕著であることから、リブ部の一部が凹部からはみ出す現象が特に生じやすくなる。
【００３５】
そこで、本実施の形態では、第１リブ部２６に傾斜面３６を設けると共に、第１凹部４８に傾斜面６０を設けた。
このような傾斜面３６、６０を設けることで第１リブ部２６と第１凹部４８とが多少ずれていたとしても、傾斜面３６、６０が接触することで第１リブ部２６が第１凹部４８内に円滑に案内され、これにより第１リブ部２６と第１凹部４８との位置が合致する。
これにより、第１リブ部２６と第１凹部４８との装着が確実に行われ、水漏れを防止する上で有利となる。
【００３６】
また、本実施の形態では、鏡筒用リブ部３８に傾斜面３９を設けると共に、凹部６８に傾斜面７０を設けた。
すなわち、上記と同様に、ヒンジ６２に近い側に位置するリブ部３８の箇所と凹部６８の箇所では、ヒンジ６２を中心とした小さな値の半径で円運動し、リブ部３８と凹部６８とが傾斜した状態で接近する傾向が顕著である。そのため、リブ部３８の一部が凹部６８からはみ出す現象が特に生じやすくなる。
そこで、傾斜面３９、７０を設けることで鏡筒用リブ部３８と凹部６８とが多少ずれていたとしても、傾斜面３９、７０が接触することで鏡筒用リブ部３８が凹部６８内に円滑に案内され、これにより鏡筒用リブ部３８と凹部６８との位置が合致する。
これにより、鏡筒用リブ部３８と凹部６８との装着が確実に行われ、水漏れを防止する上で有利となる。
【００３７】
したがって、筐体１２に装着された電子機器用ソフトケース２０に電子機器用ハードケース４０を装着する際にケース２０、４０間に多少の位置ずれが生じた場合であっても、それらケース２０、４０間を確実に水密に結合でき、防水性を確保する上で有利となる。
なお、各傾斜面３６、６０、３９、７０の傾斜角度は、１５度以上４５度以下がシリコンのリブ部２６、３８のつぶし量の面で好ましい。
傾斜角度が１５度に満たないと、シリコンとの隙間がより必要となるため、防水面のスペースの面で不利がある。
傾斜角度が４５度を超えると、シリコンつぶし量の面で不利がある。
また、リブ部２６、３８が凹部４８、６８に挿入される際に、シリコンのリブ部２６、３８をつぶす上で、リブ部２６、３８の傾斜面３６、３９と凹部４８、６８の傾斜面６０、７０との間に隙間を持たせることが好ましい。
【００３８】
上述したように、電子機器用ソフトケース２０に、ケース本体２２の開口部２４に沿って延在する第１リブ部２６の近傍に第２リブ部２８を設けると次の効果が奏される。
そのため、開口部２４の周囲を硬質材料で形成された電子機器用ハードケース４０により筐体１２に押し付け、開口部２４部分を覆うことにより電子機器用ソフトケース２０と電子機器用ハードケース４０により防水ケースを構成した場合の不都合を防止できる。
すなわち、２つのリブ部２６、２８が電子機器用ハードケース４０の第１、第２凹部４８、５０に装着されることでそれらリブ部２６、２８と第１、第２凹部４８、５０との装着状態が強固に維持される。
したがって、柔軟性を有する電子機器用ソフトケース２０のケース本体２２のうち開口部２４近傍の箇所に外力による変形を生じたとしても、第１、第２リブ部２６、２８が倒れにくく、該箇所が電子機器用ハードケース４０の窓部５６から外れることはない。
したがって、水漏れを確実に防止でき、電子機器用ソフトケース２０の利便性を損なうことなく防水性を確保する上で有利となる。
【００３９】
特に、第１、第２リブ部２６、２８近傍のケース本体２２箇所にストラップ挿通用孔３４が設けられている場合、ストラップ挿通用孔３４に挿通されたストラップ紐が物に引っかかるなどして強く引っ張られるおそれがある。
しかしながら、上述のように構成すると、万一ストラップ紐が強く引っ張られたとしても、リブ部２６、２８と第１、第２凹部４８、５０との装着状態が強固に維持されるので、水漏れを確実に防止する上で有利となる。
【００４０】
また、上述したように、第１リブ部２６と第２リブ部２８とを連結する第３リブ部３０を設けると、第１リブ部２６と第２リブ部２８を補強し、それらリブ部２６、２８を倒れにくくできる。
したがって、第１、第２リブ部２６、２８と第１、第２凹部４８、５０との装着状態をより強固に維持でき、水漏れを確実に防止する上でより一層有利となる。
【００４１】
また、上述したように、電子機器用ハードケース４０において、硬質材料からなる第１分割体４２のうち、ソフトケース２０の開口部２４の近傍に位置する箇所に第１凹部４８と第２凹部５０を設けると次の効果が奏される。
そのため、ソフトケース２０の開口部２４の周囲を電子機器用ハードケース４０により筐体１２に押し付け、開口部２４部分を覆うことによりソフトケース２０と電子機器用ハードケース４０により防水ケースを構成した場合の不都合を防止できる。
すなわち、ソフトケース２０の２つのリブ部２６、２８が電子機器用ハードケース４０の第１、第２凹部４８、５０に装着されることでそれらリブ部２６、２８と第１、第２凹部４８、５０との装着状態が強固に維持される。
したがって、柔軟性を有するソフトケース２０のうち開口部２４近傍の箇所に外力による変形を生じたとしても、２つのリブ部２６、２８が倒れにくく、該箇所が電子機器用ハードケース４０の窓部５６から外れることはない。
したがって、水漏れを確実に防止でき、コンパクトな形状の電子機器用ハードケース４０とソフトケース２０により防水性を確保する上で有利となる。
【００４２】
特に、２つのリブ部２６、２８近傍のソフトケース２０の箇所にストラップ挿通用孔３４が設けられている場合、ストラップ挿通用孔３４に挿通されたストラップ紐が物に引っかかるなどして強く引っ張られるおそれがある。
しかしながら、上述のように構成すると、万一ストラップ紐が強く引っ張られたとしても、リブ部２６、２８と第１、第２凹部４８、５０との装着状態が強固に維持されるので、水漏れを確実に防止する上で有利となる。
また、上述のように、２つのリブ部２６、２８を補強した第３リブ部３０が装着される第３凹部５４を設けると、２つのリブ部２６、２８と第１、第２凹部４８、５０との装着状態をより強固に維持でき、水漏れを確実に防止する上でより一層有利となる。
【００４３】
図２２は第３リブ部３０の変形例を示す。
この変形例では、凹部３２の延在方向の両端に加え、凹部３２の延在方向の中間部にも第３リブ部３０を設け、第１、第２リブ部２６、２８がより倒れにくくしたものである。
この場合には、凹部３２は第３リブ部３０により２つに分割される。
また、第３リブ部３０が弾接される第１分割体４２の第３凹部５４は、凸部５２の延在方向の両端に加え、凸部５２の延在方向の中間部に形成されることになる。
このような変形例によれば、第１、第２凹部４８、５０と第１、第２リブ部２６、２８との装着状態をより強固に維持でき、水漏れを確実に防止する上でより一層有利となる。
【００４４】
次に、本発明の要旨である、撮像装置１０の操作部材を回転操作するための電子機器用ソフトケース２０の操作部について説明する。
操作部は、ケース本体２２に設けられ、ケース本体２２が筐体１２に装着された状態でケース本体２２の外側から筐体側操作部材を回転操作するものである。
図２４に示すように、この実施の形態では、筐体側操作部材はモードダイヤル１６Ｆであり、操作部はモードダイヤル１６Ｆを回転操作するダイヤル用操作部７２である。
ダイヤル用操作部７２は、後壁部２２Ｂに設けられ、ケース本体２２に設けられた操作部用壁部７６と、操作部用壁部７６に組み込まれたケース本体側操作部材７８とを含んで構成されている。
【００４５】
操作部用壁部７６は、膨出壁８０と、軸受孔８２と、凹部８４とを含んで構成されている。
膨出壁８０は、モードダイヤル１６Ｆに対向するケース本体２２の箇所にモードダイヤル１６Ｆから離れる方向に円筒状に膨出形成されている。
膨出壁８０は、モードダイヤル１６Ｆに離間接近する方向と直交する方向に弾性変形可能（倒れ可能）に形成されている。
軸受孔８２は、膨出壁８０の中心でモードダイヤル１６Ｆに離間接近する方向に貫通されている。
凹部８４は、モードダイヤル１６Ｆに対向する膨出壁８０の下部に、軸受孔８２に連通し膨出壁８０とモードダイヤル１６Ｆとの間に空間Ｓを形成するように設けられている。
また、膨出壁８０の上部で軸受孔８２の周囲に上方に開放状の環状の凹部１０４が設けられている。
【００４６】
図２４、図２５、図２６に示すように、ケース本体側操作部材７８は、軸部８６と、スカート部８８と、回転用部材９０とを含んで構成されている。
ケース本体側操作部材７８は合成樹脂製であり、スカート部８８と軸部８６とは一体成形されている。
軸部８６は、軸受孔８２に挿通される。
スカート部８８は、軸受孔８２の上方に突出する軸部８６の上端に軸部８６と一体に回転するように設けられ膨出壁８０の周囲を囲むように設けられている。
より詳細には、スカート部８８は、軸部８６の半径方向外側に拡がる環板部８８Ａと、環板部８８Ａの外周に接続され膨出壁８０の周囲を囲む筒部８８Ｂとを有している。
筒部８８Ｂの外周面は、モードダイヤル１６Ｆを回転操作する際にユーザーの指により摘まれる箇所であり、回転操作しやすいように凹凸形状で形成されている。
筒部８８Ｂの内周面と膨出壁８０の外周面との間にそれらの全周にわたり隙間Ｇが形成され、隙間Ｇは、モードダイヤル１６Ｆが倒された際にスカート部８８が膨出壁８０に弾接する寸法で形成されている。
回転用部材９０は、軸受孔８２の下方に突出する軸部８６の下端に軸部８６と一体に回転するように取着されモードダイヤル１６Ｆに係合して該モードダイヤル１６Ｆを回転させるものである。
図２５に示すように、軸部８６の下端にＤカット８６Ａが設けられ、このＤカット８６Ａ部分が回転用部材９０の中心のＤカットに対応した形状の孔９０Ａ（図２４）に挿通され、軸部８６と回転用部材９０とが一体に回転するように結合されている。
図２４、図２５に示すように、回転用部材９０から突出する軸部８６の端部に、回転用部材９０の軸部８６からの抜けを阻止する係止部材９２が取着されている。
係止部材９２として、Ｅリングなどのような従来公知のさまざまなものが使用可能である。
回転用部材９０は、空間Ｓに配置されている。
本実施の形態では、図２に示すように、モードダイヤル１６Ｆの上面の外周部は微細な凹凸形状１６０２で形成されており、回転用部材９０の下面は、図２５に示すように、この凹凸形状に係合する微細な凹凸形状９００２で形成されている。
【００４７】
回転用部材９０の上位に位置する軸部８６の箇所に、該軸部８６の箇所の周囲に位置する膨出壁８０の下端に係止し軸部８６の軸受孔８２からの抜けを阻止する係止部材９４が装着されている。
係止部材９４として、Ｅリングなどのような従来公知のさまざまなものが使用可能である。
したがって、回転用部材９０は、２つの係止部材９２、９４の間に挟まれて配置されていることになる。
本実施の形態では、回転用部材９０と反対側の係止部材９４の上面に、軸部８６の外径よりも大きい内径の剛性を有する環板状の第１ワッシャ９６が設けられている。
さらに、係止部材９４と反対側の第１ワッシャ９６の上面に、摩擦係数の小さい材料からなり軸部８６の外径よりも大きい内径の環板状の第２ワッシャ９８が設けられている。
第１ワッシャ９６は、ステンレス鋼などのような剛性を有し耐久性に優れるものが好ましい。
第２ワッシャ９８を構成する摩擦係数の小さい材料として、摩擦係数が小さいフッ素樹脂あるいはポリエチレンなど従来公知のさまざまな材料が使用可能である。
そして、係止部材９４の膨出壁８０の下端への係止は、第１、第２ワッシャ９６、９８を介して行われている。
【００４８】
スカート部８８の下方に位置する軸部８６の上端に、シール部材１００が軸部８６に対して水密に装着されている。
シール部材１００は、凹部１０４に配置されている。
シール部材１００は、膨出壁８０を構成する材料よりも硬い材料から構成されており、本実施の形態では、Ｏリングが用いられている。
シール部材１００を構成する材料としては、シリコン、あるいは、エラストマーなど従来公知の様々な材料が使用可能である。
シール部材１００は、軸部８６の上端の周囲に位置する膨出壁８０の上端に弾接し係止部材９４と協働し軸受孔８２を形成する膨出壁８０の部分を軸方向に圧縮するものである。すなわち、シール部材１００は、水の浸入を阻止する部材として機能するのみではなく、軸受孔８２を形成する膨出壁８０の部分を軸方向に圧縮する部材としても機能している。
また、係止部材９４も、軸受孔８２を形成する膨出壁８０の部分を軸方向に圧縮する部材として機能している。
本実施の形態では、シール部材１００の上方に位置する軸部８６の上端部分に摩擦係数の小さい材料からなる環板状の第３ワッシャ１０２が装着されている。
第３ワッシャ１０２の一方の面は環板部８８Ａに当て付けられ、第３ワッシャ１０２の他方の面はシール部材１００に弾接されている。
第３ワッシャ１０２を構成する摩擦係数の小さい材料として、摩擦係数が小さいフッ素樹脂あるいはポリエチレンなど従来公知のさまざまな材料が使用可能である。
【００４９】
このようにケース本体側操作部材７８は、軸受孔８２を形成する膨出壁８０の部分を軸方向に圧縮し軸受孔８２の内周面を軸部８６の外周面に弾接させた状態でかつ軸部８６が軸受孔８２に回転可能に挿通された状態で操作部用壁部７６に取り付けられている。
【００５０】
本実施の形態では、筐体１２にソフトケース２０を装着し、その上からハードケース４０を取り付け、撮像装置１０を防水状態とする。
この状態で水中に浸漬させると、水圧が、ハードケース４０から露出するソフトケース２０の部分であるダイヤル用操作部７２に作用する。
本実施の形態では、軸部８６は、軸受孔８２を形成する膨出壁８０の部分を軸方向に圧縮し軸受孔８２の内周面を軸部８６の外周面に弾接させた状態で軸受孔８２に回転可能に取り付けられている。
したがって、ケース本体側操作部材７８のスカート部８８を回転操作すると、回転用部材９０を介してモードダイヤル１６Ｆが回転操作されることになる。
その際に、軸部８６と軸受孔８２との間隙からのソフトケース２０内部への水の浸入が阻止される。
本実施の形態では、シール部材１００を設けているので、ソフトケース２０内部への水の浸入を阻止する上で有利となっている。
またケース本体側操作部材７８を倒す方向に外力が作用した場合、倒れる方向の膨出壁８０の部分が圧縮され、その反対側の膨出壁８０の部分が引っ張られ、膨出壁８０に対してケース本体側操作部材７８が相対的に変位しケース本体側操作部材７８が倒される。
この場合にも、軸受孔８２を形成する膨出壁８０の部分が軸方向に圧縮され軸受孔８２の内周面に弾接しているので、軸受孔８２と軸部８６との間に間隙が形成されることが防止され、ソフトケース２０内部への水の浸入が阻止される。
【００５１】
また、更なる大きな外力によりケース本体側操作部材７８が倒され、膨出壁８０に対するケース本体側操作部材７８の相対的な変位が大きくなると、隙間Ｇが無くなり、スカート部８８が膨出壁８０に弾接する。
これにより以後、膨出壁８０がケース本体側操作部材７８の倒れに追従して倒れることになり、すなわち、ケース本体側操作部材７８が膨出壁８０とあたかも一体となって倒れることになる。
したがって、膨出壁８０に対するケース本体側操作部材７８の相対的な変位の量が抑制され、軸部８６と軸受孔８２との間隙からのソフトケース２０内部への水の浸入を阻止する上で有利となる。
なお、この場合の膨出壁８０の倒れは、モードダイヤル１６Ｆの周囲に位置するケース本体２２部分が引き伸ばされるなどにより生じるものである。
【００５２】
また、第１ワッシャ９６の上面に摩擦係数の小さい材料からなる第２ワッシャ９８を設け、シール部材１００の上方に摩擦係数の小さい材料からなる第３ワッシャ１０２を設けた。すなわち、軸受孔８２を形成する膨出壁８０の部分を摩擦係数の小さい材料からなる第２ワッシャ９８と第３ワッシャ１０２により挟持して圧縮するように構成した。
そのため、ケース本体側操作部材７８の回転操作時に作用する摩擦抵抗を軽減できる。
したがって、ダイヤル用操作部７２に大きな水圧が作用した場合であっても、水中でケース本体側操作部材７８を容易かつ確実に回転操作することができ、操作性の向上を図る上で有利となる。
【００５３】
なお、本実施の形態では、合成樹脂製である第２ワッシャ９８と、係止部材９４との間にステンレス鋼などの剛性を有する材料で形成された第１ワッシャ９６を設けることで、第２ワッシャ９８が係止部材９４に直接接触して損傷することの防止が図られている。
この場合、第２ワッシャ９８を省くと共に、第１ワッシャ９６に摩擦係数を低減する表面処理（例えばモリブデン処理）を施す構成としても、第２ワッシャ９８を用いた場合と同様にケース本体側操作部材７８に作用する摩擦抵抗を軽減できる効果が得られる。
しかしながら、合成樹脂製の第２ワッシャ９８は上記表面処理よりも低コストで済むため、実施の形態のように構成すると、低コスト化を図る上でより有利となる。
【００５４】
本実施の形態では、ケース本体側操作部材７８のスカート部８８と、軸部８６とが合成樹脂による一体成形で形成されている。
そのため、合成樹脂のスカート部８８に金属材料の軸部８６をインサート成形する場合に比較してケース本体側操作部材７８の全長の短縮化を図れるため、軸部８６および膨出壁８０の倒れを抑制し、水の侵入を阻止する上で有利となる。
また、ケース本体側操作部材７８に外力が加わり、スカート部８８が膨出壁８０に弾接し、さらなる外力がケース本体側操作部材７８に加わると、ケース本体側操作部材７８と膨出壁８０とがあたかも一体となって倒される。
これにより、スカート部８８に一体成形された軸部８６に加わる外力を低減できるので、軸部８６が低強度の合成樹脂製であっても軸部８６の破損防止が図られ、水の侵入を阻止する上で有利となる。
【００５５】
また、ケース本体側操作部材７８に外力が加わりスカート部８８が膨出壁８０に弾接した際、理論的には、スカート部８８と膨出壁８０とが線状に接触しあるいは帯状に接触する。したがって、ケース本体側操作部材７８の回転操作時に作用するスカート部８８と膨出壁８０との間の摩擦抵抗を軽減できる。
したがって、スカート部８８が膨出壁８０とが弾接した状態であっても、ケース本体側操作部材７８を容易に回転操作する上で有利となる。
【００５６】
また、図２４に示すように、スカート部８８とハードケース４０の箇所（第２分割体４４）とが近接して配置されている場合、モードダイヤル１６Ｆが倒された際に、スカート部８８がハードケース４０の箇所に当接し、それ以上の倒れが阻止される。
そのため、軸受孔８２と軸部８６との間に間隙が形成されることが防止される。したがって、ソフトケース２０内部への水の浸入を阻止する上で有利となる。
また、図２４に示すように、膨出壁８０に近接するソフトケース２０の部分がハードケース４０の箇所と筐体１２の箇所との間に挟持されている場合、この挟持された箇所から膨出壁８０に至るケース本体２２部分の長さは短い。したがって、この短いケース本体２２部分が引っ張られる量は小さく、前記挟持された箇所から離れる方向への膨出壁８０の倒れが抑制される。
そのため、軸受孔８２と軸部８６との間に間隙が形成されることが防止され、ソフトケース２０内部への水の浸入を阻止する上で有利となる。
また、膨出壁８０に接続されるソフトケース２０の部分の肉厚を大きく形成すると、膨出壁８０の倒れを抑制し、ソフトケース２０内部への水の浸入を阻止する上で有利となる。
【符号の説明】
【００５７】
１０……撮像装置、１２……筐体、１８Ａ……表示面、２０……電子機器用ソフトケース、２２……ケース本体２２、２４……開口部、２６……第１リブ部、２８……第２リブ部、３２……凹部８４、４０……電子機器用ハードケース、４２……第１分割体、４４……第２分割体、４６……保持部、４８……第１凹部８４、５０……第２凹部、５２……凸部、５６……窓部、５８……第１当て付け部、７２……ダイヤル用操作部、７６……操作部用壁部、７８……ケース本体側操作部材、８０……膨出壁、８２……軸受孔、８６……軸部、８８……スカート部、９０……回転用部材。
【図１】
2010191007.tif 000003
【図２】
2010191007.tif 000004
【図３】
2010191007.tif 000005
【図４】
2010191007.tif 000006
【図５】
2010191007.tif 000007
【図６】
2010191007.tif 000008
【図７】
2010191007.tif 000009
【図８】
2010191007.tif 000010
【図９】
2010191007.tif 000011
【図１０】
2010191007.tif 000012
【図１１】
2010191007.tif 000013
【図１２】
2010191007.tif 000014
【図１３】
2010191007.tif 000015
【図１４】
2010191007.tif 000016
【図１５】
2010191007.tif 000017
【図１６】
2010191007.tif 000018
【図１７】
2010191007.tif 000019
【図１８】
2010191007.tif 000020
【図１９】
2010191007.tif 000021
【図２０】
2010191007.tif 000022
【図２１】
2010191007.tif 000023
【図２２】
2010191007.tif 000024
【図２３】
2010191007.tif 000025
【図２４】
2010191007.tif 000026
【図２５】
2010191007.tif 000027
【図２６】
2010191007.tif 000028